(57)【特許請求の範囲】
【請求項１】
発注者が操作する発注端末とインターネットを介して接続される受注端末であって、
前記インターネットと接続され、データの送受信を行う通信手段と、
前記発注端末を用いた前記発注者の操作によるデータを受け取って、所定の処理を行い、前記発注端末の表示手段に表示するためのデータを供給する処理手段とを具備しており、
前記処理手段は、
前記インターネットを利用して注文を受け付けるために前記発注端末の表示手段を通して前記発注者に示すオンラインショッピング画面上にリピートオーダーボタンを表示し、
前記発注者によって前記リピートオーダーボタンがクリックされたとき、前記発注者が過去に注文した商品を選択ボタンとともに画面に表示するとともに、前記過去に注文した商品が複数である場合において、前記複数の商品を一括して注文するために前記選択ボタンを１つ表示するための一括ボタンと、前記複数の商品を個別に注文するために前記選択ボタンを前記複数表示するための個別ボタンとを表示し、
前記発注者によって前記一括ボタンがクリックされたとき、前記複数の商品及び前記１つの選択ボタンを表示するとともに、前記発注者によって前記個別ボタンがクリックされたとき、前記複数の商品及びそれぞれの商品に対応する前記複数の選択ボタンを表示し、
前記発注者によって前記選択ボタンがクリックされたとき、選択された商品を注文品として仮設定し、仮設定された注文品を発注ボタンとともに画面に表示し、
前記発注者によって発注ボタンがクリックされたとき、仮設定した注文品の発注を受け付けることを特徴とする受注端末。
【請求項２】
請求項１に記載の受注端末において、
前記処理手段は、前記過去に注文した商品が複数である場合において、商品名順、注文頻度順、注文日付順、又は、発注者が在庫している商品量から需要予測を行って需要が高いと予測される順である予測順、のいずれか１つを選択して、選択された順に前記複数の商品を表示することを特徴とする請求項１に記載の受注端末。
【請求項３】
請求項１又は請求項２に記載の受注端末において、
前記処理手段は、前記過去に注文した複数の商品が表示されている場合において、注文頻度の順位で複数の商品を絞り込んで表示することを特徴とする受注端末。
【請求項４】
請求項１又は請求項２に記載の受注端末において、
前記処理手段は、前記過去に注文した複数の商品が表示されている場合において、前記予測順の順位で複数の商品を絞り込んで表示することを特徴とする受注端末。
【請求項５】
請求項１又は請求項２に記載の受注端末において、
前記処理手段は、前記過去に注文した複数の商品が表示されている場合において、注文番号の範囲で複数の商品を絞り込んで表示することを特徴とする受注端末。
【請求項６】
請求項１又は請求項２に記載の受注端末において、
前記処理手段は、前記過去に注文した複数の商品が表示されている場合において、注文日付による期間で複数の商品を絞り込んで表示することを特徴とする受注端末。
【請求項７】
請求項１から請求項６のいずれかに記載の受注端末において、
前記処理手段は、前記発注者によって前記リピートオーダーボタンがクリックされたとき、前記発注者が過去に注文した商品の商品名、商品の価格、商品の数量、注文した商品の合計金額、及び、前記選択ボタンを表示し、
前記発注者によって前記商品の数量が変更されたとき、変更された数量による前記合計金額を表示することを特徴とする受注端末。
【請求項８】
発注者が操作する発注端末と受注端末とがインターネットを介して接続された受注システムであって、
前記受注端末は、請求項１から請求項７のいずれかに記載の受注端末であることを特徴とする受注システム。
【発明の詳細な説明】
【０００１】
【発明の属する技術分野】
本発明は、インターネットを利用した受注方法、受注端末および受注システムに関し、さらに詳しくは、所望の商品を発注可能な画面を発注者が簡単に呼び出せるようにして受注を容易にしたインターネットを利用した受注方法、受注端末および受注システムに関する。
【０００２】
【従来の技術】
従来のインターネットを利用した受注方法としては、次の処理手順によるものが知られている。
（１）注文を受け付けるために発注者に示す画面上に商品と選択ボタンとを表示する。
（２）発注者により選択ボタンがクリックされたら、対応する商品を注文品として仮設定する。
（３）仮設定した注文品を発注ボタンと共に画面に表示する。
（４）画面で注文品を確認した発注者により発注ボタンがクリックされたら、仮設定した注文品の発注を受け付ける。
【０００３】
【発明が解決しようとする課題】
従来のインターネットを利用した受注方法では、発注者が商品のカテゴリや特性などを考慮して画面を順にたどり、所望の商品を発注可能な画面を探し出す必要があった。
しかし、商品のカテゴリが明確でない場合や特性が多種多様である場合には、所望の商品を選択可能な画面を発注者が探し出すのに手間がかかり、受注機会を逃しかねない問題点があった。
そこで、本発明の目的は、所望の商品を発注可能な画面を発注者が簡単に呼び出せるようにして受注を容易にしたインターネットを利用した受注方法、受注端末および受注システムを提供することにある。
【０００４】
【課題を解決するための手段】
第１の観点では、本発明は、インターネットを利用して注文を受け付けるために発注者に示す画面上にリピートオーダーボタンを表示し、前記リピートオーダーボタンがクリックされたら注文者が過去に注文した商品を選択ボタンと共に画面に表示し、選択ボタンがクリックされたら対応する商品を注文品として仮設定し、仮設定した注文品を発注ボタンと共に画面に表示し、発注ボタンがクリックされたら仮設定した注文品の発注を受け付けることを特徴とするインターネットを利用した受注方法を提供する。
発注者が２回以上発注している場合、同じ商品を繰り返し発注していることが多い。
そこで、上記第１の観点によるインターネットを利用した受注方法では、発注者が容易に呼び出せる画面にリピートオーダーボタンを設けておき、そのリピートオーダーボタンがクリックされたら、注文者が過去に注文した商品を選択ボタンと共に画面に表示する。これにより、発注者は、過去に発注した商品を簡単に再発注できるようになる。この結果、受注者は、機会を逃さず、受注できることとなる。
なお、上記構成において「ボタンがクリックされる」とは、「画面上に設定されたボタン領域内にポインタを置いてポインティングデバイスの操作ボタンを押すこと又はキーボードのリターンキーを押すこと」を言う。
【０００５】
第２の観点では、本発明は、上記構成のインターネットを利用した受注方法において、１回に発注された１又は２以上の商品に対して１つの選択ボタンを表示することを特徴とするインターネットを利用した受注方法を提供する。
上記第２の観点によるインターネットを利用した受注方法では、１回に発注された１又は２以上の商品に１つの選択ボタンを対応させているため、過去に発注した１回分の商品を一括して再発注できる。
【０００６】
第３の観点では、本発明は、上記構成のインターネットを利用した受注方法において、１つの商品に対して１つの選択ボタンを表示することを特徴とするインターネットを利用した受注方法を提供する。
上記第３の観点によるインターネットを利用した受注方法では、１つの商品に１つの選択ボタンを対応させているため、過去に発注した商品を個々に再発注できる。
【０００７】
第４の観点では、本発明は、上記構成のインターネットを利用した受注方法において、操作者が指定した期間内に発注された１又は２以上の商品に対して１つの選択ボタンを表示することを特徴とするインターネットを利用した受注方法を提供する。
上記第４の観点によるインターネットを利用した受注方法では、操作者が指定した期間内に発注された１又は２以上の商品に１つの選択ボタンを対応させているため、ある期間に発注した商品を一括して再発注できる。
【０００８】
第５の観点では、本発明は、上記構成のインターネットを利用した受注方法において、注文者が過去に注文した商品を、発注日時順、商品名順、注文頻度順または予測順に表示することを特徴とするインターネットを利用した受注方法を提供する。
上記第５の観点によるインターネットを利用した受注方法では、注文者が過去に注文した商品を次の態様で表示する。
（１）発注日時順に表示する。最近注文した商品を再注文したい場合に、その商品が優先的に表示される点で好ましい。
（２）商品名順に表示する。同じ商品が繰り返し注文されている場合に、同じ商品を重複して表示しない点で好ましい。
（３）注文頻度順に表示する。繰り返し注文されている商品ほど再注文される確率が高いと言えるので、再注文される確率が高い商品が優先的に表示される点で好ましい。
（４）予測順に表示する。商品の需要は、ある程度予測できる。例えば商品が消耗品の場合、略一定期間ごとに繰り返し注文される確率が高い。そこで、予測順に表示すれば、再注文される確率が高い商品が優先的に表示される点で好ましい。
なお、上記態様のいくつかから一つを発注者が選択可能にするのが好ましい。
【０００９】
第６の観点では、本発明は、上記構成のインターネットを利用した受注方法において、注文者が指定した期間、注文番号、頻度順位または予測順位の範囲に入る商品のみを表示することを特徴とするインターネットを利用した受注方法を提供する。
上記第６の観点によるインターネットを利用した受注方法では、注文者が過去に注文した商品を次のように絞り込んで表示する。
（１）注文者が指定した期間の範囲に入る商品のみを表示する。再発注したい商品を過去に何時発注したかを発注者が大体覚えている場合に有用である。
（２）注文者が指定した注文番号の範囲に入る商品のみを表示する。再発注したい商品を過去に発注した時の発注番号を発注者が大体覚えている場合に有用である。
（３）注文者が指定した頻度順位の範囲に入る商品のみを表示する。再発注したい商品の発注頻度が高い場合に有用である。
（４）注文者が指定した予測順位の範囲に入る商品のみを表示する。再発注したい商品を定期的に発注している場合に有用である。
なお、上記絞り込みのいくつかから一つを発注者が選択可能にするのが好ましい。
【００１０】
第７の観点では、本発明は、発注者が操作する発注端末とインターネットを介して接続される受注端末であって、該受注端末は、インターネットを利用して注文を受け付けるために発注者に示す画面上にリピートオーダーボタンを表示するリピートオーダーボタン表示手段と、前記リピートオーダーボタンがクリックされたら注文者が過去に注文した商品を選択ボタンと共に画面に表示する商品及び選択ボタン表示手段と、選択ボタンがクリックされたら対応する商品を注文品として仮設定する注文品仮設定手段と、仮設定した注文品を発注ボタンと共に画面に表示する仮設定注文品及び発注ボタン表示手段と、発注ボタンがクリックされたら仮設定した注文品の発注を受け付ける発注受付手段とを具備したことを特徴とする受注端末を提供する。
上記第７の観点による受注端末では、受注端末の作用によって発注端末の表示装置の画面にリピートオーダーボタンを表示するため、上記第１の観点によるインターネットを利用した受注方法を好適に実施できる。
【００１１】
第８の観点では、本発明は、上記構成の受注端末において、前記商品及び選択ボタン表示手段は、１回に発注された１又は２以上の商品に対して１つの選択ボタンを表示することを特徴とする受注端末を提供する。
上記第８の観点による受注端末では、上記第２の観点によるインターネットを利用した受注方法を好適に実施できる。
【００１２】
第９の観点では、本発明は、上記構成の受注端末において、前記商品及び選択ボタン表示手段は、１つの商品に対して１つの選択ボタンを表示することを特徴とする受注端末を提供する。
上記第９の観点による受注端末では、上記第３の観点によるインターネットを利用した受注方法を好適に実施できる。
【００１３】
第１０の観点では、本発明は、上記構成の受注端末において、前記商品及び選択ボタン表示手段は、操作者が指定した期間内に発注された１又は２以上の商品に対して１つの選択ボタンを表示することを特徴とする受注端末を提供する。
上記第１０の観点による受注端末では、上記第４の観点によるインターネットを利用した受注方法を好適に実施できる。
【００１４】
第１１の観点では、本発明は、上記構成の受注端末において、前記商品及び選択ボタン表示手段は、注文者が過去に注文した商品を、発注日時順、商品名順、注文頻度順または予測順に表示することを特徴とする受注端末を提供する。
上記第１１の観点による受注端末では、上記第５の観点によるインターネットを利用した受注方法を好適に実施できる。
【００１５】
第１２の観点では、本発明は、上記構成の受注端末において、前記商品及び選択ボタン表示手段は、注文者が指定した期間、注文番号、頻度順位または予測順位の範囲に入る商品のみを表示することを特徴とする受注端末を提供する。
上記第１２の観点による受注端末では、上記第６の観点によるインターネットを利用した受注方法を好適に実施できる。
【００１６】
第１３の観点では、本発明は、発注者が操作する発注端末と、その発注端末にインターネットを介して接続される受注端末とを具備してなり、前記発注端末の表示装置にはインターネットを利用して発注するための画面が表示され、該画面にはリピートオーダーボタンが表示され、注文者がリピートオーダーボタンをクリックしたら注文者が過去に注文した商品が選択ボタンと共に画面に表示され、注文者が選択ボタンをクリックしたら対応する商品が注文品として仮設定され、仮設定された注文品が発注ボタンと共に表示される画面で操作者が発注ボタンをクリックしたら前記仮設定された注文品の発注を前記受注端末が受け付けることを特徴とする受注システムを提供する。
上記第１３の観点による受注システムでは、上記第１の観点によるインターネットを利用した受注方法を好適に実施できる。
【００１７】
【発明の実施の形態】
以下、図に示す実施の形態により本発明を詳細に説明する。なお、これにより本発明が限定されるものではない。
【００１８】
図１は、本発明の一実施形態にかかる受注システム１００を示すブロック図である。
この受注システム１００は、インターネット１と、そのインターネット１に接続された発注端末２，３と、受注端末１０とを具備して構成されている。
なお、セキュリティの観点から、ＳＳＬ（Secure Socket Layer Protocol）等を利用するのが好ましい。
【００１９】
前記発注端末２，３は、インターネット１を利用できる一般的な端末であり、例えばパソコンである。
【００２０】
図２は、前記受注端末１０の構成ブロック図である。
この受注端末１０は、インターネット１を介してデータ伝送を行う通信部１０Ａと、コマンドやデータなどを入力するための入力部１０Ｂと、受注結果の印刷などを行うための出力部１０Ｃと、不正アクセスを防止するためのセキュリティ管理部１０Ｄと、インターネット１を介しての発注を受け付けるための受注処理部１０Ｅと、過去に受注した結果を発注者毎に管理する受注履歴管理部１０Ｆと、発注者が所望の商品を発注可能な画面を簡単に呼び出せるように受注履歴を利用してアシストするリピートオーダー処理部１０Ｇとを具備している。
【００２１】
次に、図３〜図１４を参照して、インターネット１を利用して受注する動作を説明する。
なお、発注者が図３の画面を呼び出す前には、セキュリティ管理部１０Ｄによる正当性のチェックを受けているものとする。
【００２２】
図３は「ホーム」画面であり、本発明に係る「リピートオーダー」ボタンと、通信を打ち切るための「ログアウト」ボタンと、商品の大カテゴリを選択するための「アクセサリー＆消耗品」ボタン，「超音波診断装置」ボタンおよび「Ｘ線撮影装置」ボタンと、仮発注した商品を確認するための「ショッピングカート」ボタンとが表示されている。
ここで、例えば「アクセサリー＆消耗品」ボタンをクリックすると、図４の画面に進む。
【００２３】
図４は「アクセサリー＆消耗品」画面であり、「アクセサリー＆消耗品」のカテゴリに属する商品の中カテゴリである「データ記録メディア」ボタンや「プリンタ関連メディア」ボタンなどが表示される。
ここで、例えば「データ記録メディア」ボタンをクリックすると、図５の画面に進む。
【００２４】
図５は「データ記録メディア」画面であり、「データ記録メディア」のカテゴリに属する商品の小カテゴリである「３.５インチ ＭＯＤ（Magnetic Optical Disk）」ボタンや「５インチ ＭＯＤ／ＯＤ（Optical Disk）」ボタンなどが表示される。
ここで、例えば「３.５インチ ＭＯＤ」ボタンをクリックすると、図６の画面に進む。
【００２５】
図６は「３.５インチ ＭＯＤ」画面であり、「３.５インチ ＭＯＤ」のカテゴリに属する個々の商品名と、価格と、数量と、商品を注文品として仮設定するための「ショッピングカートへ」ボタンと、アップスクロールボタンと、ダウンスクロールボタンとが表示される。なお、図６〜図１４に示す価格は、説明の都合上の値であって、実施の取引価格ではない。
数量にはデフォルトで“１”が入っているが、変更可能である。
ここで、例えば“３.５インチ ＭＯＤ 128ＭＢ アンフォーマット １箱５枚入り”の「ショッピングカートへ」ボタンをクリックすると、図７の画面に進む。
【００２６】
図７は「ショッピングカート」画面であり、今回の注文番号と、注文品として仮設定されている商品名と、価格と、数量と、小計（＝価格×数量）と、配送料と、合計（＝小計＋配送料）と、消費税と、総計と、仮設定されている商品を発注するための「発注」ボタンと、数量を変更したときに小計などを再計算させるための「再計算」ボタンと、さらに発注する商品を追加するための「ショッピングを続ける」ボタンとが表示される。
数量には仮設定した数量が入っているが、変更可能である。また、数量を“０”にし、「再計算」ボタンをクリックすると、その商品を仮設定から削除することが出来る。
これまでに注文したことがない商品を仮設定に追加するには、「ショッピングを続ける」ボタンをクリックする。すると、図３の「ホーム」画面に戻るので、上述の動作を繰り返して所望の商品を仮設定する。
これまでに注文したことがある商品を仮設定に追加するには、「リピートオーダー」ボタンをクリックする。すると、図８の画面に進む。
【００２７】
図８は「リピートオーダー」画面であり、前回までの注文番号と注文日時と、発注した商品名と、数量と、小計と、１回で発注した商品を一括して注文品に仮設定するための「ショッピングカートへ」ボタンと、１回で発注した商品に一括対応するように「ショッピングカートへ」ボタンを表示させるための「一括」ボタンと、商品に個別に対応するように「ショッピングカートへ」ボタンを表示させるための「個別」ボタン（後述する）と、表示順序を選択するための「表示順」ボタン（後述する）と、表示範囲を絞り込むための「絞り込み」ボタン（後述する）と、絞り込まれた表示範囲に入る商品を全て一括して注文品に仮設定するための「全てをショッピングカートへ」ボタンとが表示される。
ここで、例えば注文番号“2185522”の「ショッピングカートへ」ボタンをクリックすると、図９の画面に進む。
【００２８】
図９は「ショッピングカート」画面であり、過去に注文した注文番号“2185522”の商品が一括して仮設定に追加されている。ここで、今回は注文しない商品は、その数量を“０”に変更する。また、今回は数量を変える商品は、その数量を所望の値に変更する。そして、「再計算」ボタンをクリックすると、図１０の画面に進む。
【００２９】
図１０は「ショッピングカート」画面であり、数量を“０”にした商品が仮設定から削除されている。また、小計などが再計算されている。今回の発注がこれでよければ、「発注」ボタンをクリックする。
【００３０】
以上により、発注者は、過去に発注した商品を簡単に再発注できるようになる。この結果、受注者は、機会を逃さずに受注できることとなる。
【００３１】
図１１は、「個別」ボタンをクリックした場合の「リピートオーダー」画面であり、商品に個別に対応するように「ショッピングカートへ」ボタンが表示される。
ここで、例えば“３.５インチ ＭＯＤ 128ＭＢ DOSフォーマット １箱５枚入り”の「ショッピングカートへ」ボタンをクリックすると、図１２の画面に進む。
【００３２】
図１２は「ショッピングカート」画面であり、過去に注文した商品“３.５インチＭＯＤ 128ＭＢ DOSフォーマット １箱５枚入り”が仮設定に追加されている。ここで、さらに過去に注文した商品を追加したい場合は「リピートオーダー」ボタンをクリックして図１１の画面に戻ればよい。
【００３３】
図１３は、「表示順」ボタンをクリックして表示順ポップアップメニュー（pop up menu）が表示された状態の「リピートオーダー」画面である。
このポップアップメニューでは、「注文日時順」、「商品名順」、「注文頻度順」および「予測順」のいずれかを選択できる。
「注文日時順」を選択すると、注文した日時が現在に近いものほど上位に表示される。最近注文した商品を再注文したい場合に有用である。
「商品名順」を選択すると、５０音順（アルファベット順でもよい）に商品名が並べ替えられて表示される。このとき、同じ商品名の複数のデータがある場合は最も新しく発注したデータのみを表示する。従って、表示がスッキリする。
「注文頻度順」を選択すると、発注回数の多い商品ほど上位に表示される。このとき、同じ商品名の複数のデータがある場合は最も新しく発注したデータのみを表示する。従って、表示がスッキリする。また、再注文する確率が高い商品が優先的に表示されることになる。
「予測順」を選択すると、発注者が在庫している商品量や消費速度を考慮して需要予測を行って需要が高いと予測された順に商品が表示される。このとき、同じ商品名の複数のデータがある場合は最も新しく発注したデータのみを表示する。従って、表示がスッキリする。また、再注文する確率が高い商品が優先的に表示されることになる。
【００３４】
図１４は、「絞り込み」ボタンをクリックして絞込ポップアップメニューが表示された状態の「リピートオーダー」画面である。
このポップアップメニューでは、「期間」、「注文番号」、「頻度順位」および「予測順位」のいずれかを選択できる。
「期間」を選択すると、注文者が指定した期間の範囲に発注されたデータのみが表示される。
「注文番号」を選択すると、注文者が指定した注文番号の範囲に入るデータのみが表示される。
「頻度順位」を選択すると、注文者が指定した頻度順位の範囲に入るデータのみが表示される。
「予測順位」を選択すると、注文者が指定した予測順位の範囲に入るデータのみが表示される。
【００３５】
【発明の効果】
本発明のインターネットを利用した受注方法および受注端末によれば、発注者は過去に発注した商品を簡単に再発注できるようになる。また、受注者は、機会を逃さずに受注できることとなる。
【図面の簡単な説明】
【図１】本発明の一実施形態にかかる受注システムの構成図である。
【図２】本発明の一実施形態にかかる受注端末の構成図である。
【図３】商品の大カテゴリを表示する「ホーム」画面の例示図である。
【図４】商品の中カテゴリを表示する「アクセサリ＆消耗品」画面の例示図である。
【図５】商品の小カテゴリを表示する「データ記録メディア」画面の例示図である。
【図６】商品を表示する「３.５インチ ＭＯＤ」画面の例示図である。
【図７】「ショッピングカート」画面の例示図である。
【図８】「リピートオーダー」画面の例示図である。
【図９】「ショッピングカート」画面の例示図である。
【図１０】「ショッピングカート」画面の例示図である。
【図１１】「リピートオーダー」画面の例示図である。
【図１２】「ショッピングカート」画面の例示図である。
【図１３】「リピートオーダー」画面の例示図である。
【図１４】「リピートオーダー」画面の例示図である。
【符号の説明】
１                インターネット
２，３            発注端末
１０              受注端末
１０Ａ            通信部
１０Ｂ            入力部
１０Ｃ            出力部
１０Ｄ            セキュリティ管理部
１０Ｅ            受注処理部
１０Ｆ            受注履歴管理部
１０Ｇ            リピートオーダー処理部
１００            受注システム
【図１】
0004999224.tif 000002
【図２】
0004999224.tif 000003
【図３】
0004999224.tif 000004
【図４】
0004999224.tif 000005
【図５】
0004999224.tif 000006
【図６】
0004999224.tif 000007
【図７】
0004999224.tif 000008
【図８】
0004999224.tif 000009
【図９】
0004999224.tif 000010
【図１０】
0004999224.tif 000011
【図１１】
0004999224.tif 000012
【図１２】
0004999224.tif 000013
【図１３】
0004999224.tif 000014
【図１４】
0004999224.tif 000015